(57)【要約】【課題】構成簡単で低コスト化が図れ、しかも左右側でバランスのとれた傾斜角度を容易に与えることのできるパチンコ機の傾斜角度調整構造を提供する。【解決手段】左右各側に玉貸し機が隣接設置されるパチンコ機１において、パチンコ機１の左右各側面に突設され、パチンコ機左右各側の玉貸し機側面に穿設された軸支孔に挿入されてパチンコ機１を前後に傾動自在にする支軸２１と、この支軸２１を支点に所望角度傾動させたパチンコ機１の裏面上端部及び下端部に端部２３ｃ及び端部２４ｃを当接させた状態で位置決め固定可能な上側及び下側Ｌ字状板材２３ａ，２４ａとで傾斜角度調整を行う構成とした。【選択図】        図２
2004166977.tif 000002
【特許請求の範囲】
【請求項１】
左右各側に玉貸し機が隣接設置されるパチンコ機において、パチンコ機の左右各側面の対称位置又はパチンコ機左右各側の玉貸し機側面の対称位置に突設され、パチンコ機左右各側の玉貸し機側面の対称位置又はパチンコ機の左右各側面の対称位置に穿設された軸支孔に挿入されてパチンコ機を前後方向に傾動自在にする支軸と、
この支軸を支点として所望角度傾動させた前記パチンコ機の裏面の前記支軸よりも上方側部分に一部を当接させた状態で位置決め固定可能な上側止め部材と、前記支軸を支点として所望角度傾動させた前記パチンコ機の裏面の前記支軸よりも下方側部分に一部を当接させた状態で位置決め固定可能な下側止め部材とを具備することを特徴とするパチンコ機の傾斜角度調整構造。
【発明の詳細な説明】
【０００１】
【発明の属する技術分野】
本発明は、各々玉貸し機を挟んで複数台設置されるパチンコ機配列において好適なパチンコ機の傾斜角度調整構造に関するものである。
【０００２】
【従来の技術】
一般にパチンコ機は、その上端部を裏面側に所定角度、例えば４分５厘程度傾斜させ、遊技盤の盤面が垂直方向に対して後方に僅かに寝かされた状態で取り付けられている。図５はこの様子を示すパチンコ機の側面図である。図示パチンコ機１を挟んで左側がパチンコ機正面側、右側がパチンコ機裏面側であって、図示するように、パチンコ機１は裏面側に僅かに傾斜させた状態で取り付けられている。
このようなパチンコ機において、上記傾斜角度は取付時に調整されるが、この傾斜角度の調整には関連する技術（垂直度の調節技術）として、押さえ金具や調節ボルトを用いたものがあった（例えば特許文献１参照）。
【０００３】
【特許文献１】
特開平７−２６５５３６号公報（段落番号［００２８］）
【０００４】
【発明が解決しようとする課題】
しかしながら上記従来技術は、押さえ金具や調節ボルトのみで角度調整できるものではなく、棒状部材等も必要とした。
特に、左右側でバランスのとれた傾斜角度を与える、つまり左右各側を等しい角度で裏面側に傾斜させるためには、上記押さえ金具、調節ボルト、棒状部材等の他に、連結板や底部押さえ板等を必要とする等、構成が複雑でコストが上昇する。また、左右に一対設けられた押さえ金具及び調節ボルトによる左右各側の角度調整も面倒でバランスのとれた傾斜角度の調整に時間がかかるという問題点があった。
【０００５】
本発明は、上記従来技術の問題点を解消するためになされたもので、構成簡単で低コスト化が図れ、しかも左右側でバランスのとれた傾斜角度を容易に与えることのできるパチンコ機の傾斜角度調整構造を提供することを目的とする。
【０００６】
【課題を解決するための手段】
上記目的を達成するために、請求項１に記載の発明は、左右各側に玉貸し機が隣接設置されるパチンコ機において、パチンコ機の左右各側面の対称位置又はパチンコ機左右各側の玉貸し機側面の対称位置に突設され、パチンコ機左右各側の玉貸し機側面の対称位置又はパチンコ機の左右各側面の対称位置に穿設された軸支孔に挿入されてパチンコ機を前後方向に傾動自在にする支軸と、この支軸を支点として所望角度傾動させた前記パチンコ機の裏面の前記支軸よりも上方側部分に一部を当接させた状態で位置決め固定可能な上側止め部材と、前記支軸を支点として所望角度傾動させた前記パチンコ機の裏面の前記支軸よりも下方側部分に一部を当接させた状態で位置決め固定可能な下側止め部材とを具備することを特徴とする。
【０００７】
【発明の実施の形態】
以下、本発明の実施の形態を図面に基づき説明する。なお、各図間において、同一符号は同一又は相当部分を示す。
図１は、本発明による傾斜角度調整構造が適用されてパチンコ島の左右方向に設置された複数台のパチンコ機の配列を示す図である。
この図において、１は各々パチンコ機、２はパチンコ機１の左右各側に設置された台間サンド等と称される玉貸し機である。各パチンコ機１は、後述傾斜角度調整構造によって、その上端部を裏面側に所定角度傾斜させた状態（寝かせ状態）でパチンコ島３に取り付けられている（図５参照）。
【０００８】
図２は、本発明による傾斜角度調整構造が適用され、寝かせ状態でパチンコ島に設置されたパチンコ機の一例を概略的に示す右側面図（図１中のパチンコ機の右側面概略拡大図）である。この図２では、パチンコ機右側（図示面の手前側）に設置される玉貸し機が図示省略されている。図３（ａ）は図２中の上側止め部材部分の平面図、同（ｂ）は同じく下側止め部材部分の平面図である。
図４は、図２に示すパチンコ機及びその左右各側に配設される玉貸し機部分の概略を左右方向に分解して示す斜視図である。
【０００９】
これら図２〜図４に示すように、本発明の傾斜角度調整構造は、基本的には各一対の支軸２１及び軸支孔２２と、上側止め部材２３と下側止め部材２４とを備えて構成される。
【００１０】
この場合、支軸２１は、パチンコ機１の左右各側面１ａ，１ｂの対称位置又はパチンコ機左右各側の玉貸し機２，２の、パチンコ機１を挟んで対向する側面２ａ，２ｂの対称位置に突設される。ここでは、支軸２１はパチンコ機１の左右各側面１ａ，１ｂの上下方向中央部分よりやや上方の対称位置に突設される。
軸支孔２２は、パチンコ機左右各側の玉貸し機２，２の、パチンコ機１を挟んで対向する側面２ａ，２ｂの対称位置又はパチンコ機１の左右各側面１ａ，１ｂの対称位置に穿設される。ここでは、軸支孔２２はパチンコ機左右各側の玉貸し機２，２の上記側面２ａ，２ｂの対称位置に穿設される。パチンコ機１及び玉貸し機２，２は、通常、水平に渡された同一据付け面、例えば後述島下部台板面上に置かれるので、各支軸２１と軸支孔２２は同じ高さ位置に設けられる。
パチンコ機１の左右各側面１ａ，１ｂに突設された支軸２１は、パチンコ機１が左右各側の玉貸し機２，２間に設置される際に、それら玉貸し機２，２に各々穿設された軸支孔２２内に各別に挿入され、パチンコ機１を前後方向に傾動自在（矢印イ参照）に軸支する。
【００１１】
各支軸２１を固設すると、図１に示すパチンコ機配列において、パチンコ機１及び玉貸し機２を、上記支軸２１を軸支孔２２に挿入させながら、図中左又は右側から順次取り付けて行く必要がある。そこで各支軸２１を、常時は突出状態にあるが、先端部分を押圧することにより後端側に引っ込み、押圧を解除すると元の突出状態に戻るというように、進退自在に構成してもよく、これによれば、パチンコ機１や玉貸し機２を順不同で取り付け、取り外せるようになる。
【００１２】
図２に示すように、上側止め部材２３は、上記支軸２１，２１を支点として所望角度傾動させた、つまり寝かせ状態にされたパチンコ機１の裏面の支軸２１，２１よりも上方側部分に、ここではパチンコ機裏面側の上端部に、一端部を当接させた状態で位置決め固定可能な止め部材である。図示例では、上側止め部材２３は、パチンコ機１の上方に位置するパチンコ機上部支持部材（例えば島上部梁板）２５に、パチンコ機正・裏面方向（矢印ロ方向）に移動自在に設けられた上側Ｌ字状板材２３ａからなる。
【００１３】
この上側Ｌ字状板材２３ａは、上記支持部材２５上面をスライド自在の一辺側には図３（ａ）に示すように矢印ロ方向に延びる長孔２３ｂが穿設され、他辺側の先端部分２３ｃがパチンコ機１の裏面側上端部に当接する位置まで移動可能に設定されている。そしてこの上側Ｌ字状板材２３ａは、所望角度に傾動されたパチンコ機１の裏面側上端部に他辺側の先端部分２３ｃが当接する位置に移動させた状態で、上記長孔２３ｂ内に軸部を挿通させたねじ２６を緊締して位置決め固定可能に構成されている。
これによりパチンコ機１の裏面側上端部の後方側への動き、つまり所定の傾斜角度（寝かせ状態）にされたパチンコ機１が更に後方に傾斜しようとする動きが阻止される。
【００１４】
下側止め部材２４は、上記寝かせ状態にされたパチンコ機１の裏面の支軸２１，２１よりも下方側部分に、ここではパチンコ機裏面側の下端部に、一端部を当接させた状態で位置決め固定可能な止め部材である。図示例では、下側止め部材２４は、パチンコ機１の下方に位置するパチンコ機下部支持部材（例えば島下部台板）２７に、パチンコ機正・裏面方向（矢印ロ方向）に移動自在に設けられた下側Ｌ字状板材２４ａからなる。
【００１５】
この下側Ｌ字状板材２４ａは、上記支持部材２７上面をスライド自在の他辺側には図３（ｂ）に示すように矢印ロ方向に延びる長孔２４ｂが穿設され、一辺側部分２４ｃがパチンコ機１の裏面側下端部に当接する位置まで移動可能に設定されている。そしてこの下側Ｌ字状板材２４ａは、所望角度に傾動されたパチンコ機１の裏面側下端部に一辺側部分２４ｃが当接する位置に移動させた状態で、上記長孔２４ｂ内に軸部を挿通させたねじ２８を緊締して位置決め固定可能に構成されている。
これによりパチンコ機１の裏面側下端部の後方側への動き、つまり寝かせ状態にされたパチンコ機１が垂直方向に戻ろうとする動きが阻止され、上記上側Ｌ字状板材２３ａによるパチンコ機１の裏面側上端部の後方側への動きの阻止と相俟って、パチンコ機１を所定角度の寝かせ状態に保持する。また、Ｌ字状板材２３ａ，２４ａは、いずれもパチンコ機１の裏面側に当接してパチンコ機１を寝かせ状態に保持する構成であるので、島３（図１参照）に対するパチンコ機１の取付け、取外し作業の妨げになることはなく、円滑な作業が可能となる。
なお、図２、図４において、３１は受け皿、３２は発射ハンドル、３３は前板飾りである。
【００１６】
【発明の効果】
以上述べたように本発明においては、パチンコ機側面（又は玉貸し機側面）に突設され、玉貸し機側面（又はパチンコ機側面）に穿設された軸支孔に挿入されてパチンコ機を前後方向に傾動自在にする支軸と、上側及び下側の２つの止め部材によってパチンコ機の傾斜角度調整するようにした。
これによれば、パチンコ機の傾斜角度調整構造を、従来技術に比べて構成簡単、低コストで実現できる。また、傾斜角度調整において、パチンコ機左右各側の角度調整を必要としないので、パチンコ機左右側でバランスのとれた傾斜角度を容易に与えることができるという効果も発揮できる。
【図面の簡単な説明】
【図１】本発明が適用されてパチンコ島に設置されたパチンコ機の配列を示す図である。
【図２】図１中のパチンコ機の右側面概略拡大図である。
【図３】図２中の止め部材部分の平面図である。
【図４】図２中のパチンコ機及びその左右側の玉貸し機部分の概略を左右方向に分解して示す斜視図である。
【図５】後方に僅かに寝かされた状態で取り付けられたパチンコ機の側面図である。
【符号の説明】
１  パチンコ機
１ａ，１ｂ  パチンコ機側面
２  玉貸し機
２ａ，２ｂ  玉貸し機側面
２１  支軸
２２  軸支孔
２３ａ（２３）  上側Ｌ字状板材（上側止め部材）
２４ａ（２４）  下側Ｌ字状板材（下側止め部材）
【図１】
2004166977.tif 000003
【図２】
2004166977.tif 000004
【図３】
2004166977.tif 000005
【図４】
2004166977.tif 000006
【図５】
2004166977.tif 000007